(57)【要約】【課題】簡単な構成で布ベルトの交換時期を知らせることができる遊技玉揚送磨き装置を提供すること。【解決手段】本体ユニット３に保持された揚送ベルト２と布ベルトユニット４に保持された布ベルト２２を対面させ、両ベルト２，２２間にパチンコ玉（遊技玉）を挟持して揚送することによって該遊技玉を磨く遊技玉揚送磨き装置において、終端が巻取軸（第１の巻取軸）２３Ａに形成された取付部に取り付けられて該巻取軸２３Ａに巻回された布ベルト２２を送り出してパチンコ玉の磨きに供する送出部Ａと、パチンコ玉の磨きに供された布ベルト２２を巻取軸（第２の巻取軸）２３Ｂに巻き取る巻取部Ｂを配置するとともに、布ベルト２２の有無を検知するセンサ４２を送出部Ａの近傍に設け、布ベルト２２の終端が巻取軸２３Ａの取付部から外れて前記センサ４２を通過すると、該センサ４２が布ベルト２２の無しを光学的に検知して該布ベルト２２の交換時期を知らせる。【選択図】図８
2010035965.tif 000002
【特許請求の範囲】
【請求項１】
本体ユニットに周回可能に保持された揚送ベルトと布ベルトユニットに巻き取り可能に保持された布ベルトを対面させ、両ベルト間に遊技玉を挟持して揚送することによって該遊技玉を磨く遊技玉揚送磨き装置において、
終端が第１の巻取軸に形成された取付部に取り付けられて該第１の巻取軸に巻回された布ベルトを送り出して遊技玉の磨きに供する送出部と、遊技玉の磨きに供された布ベルトを第２の巻取軸に巻き取る巻取部を上下に配置するとともに、布ベルトの有無を検知するセンサを前記送出部の近傍に設け、布ベルトの終端が前記第１の巻取軸の取付部から外れて前記センサを通過すると、該センサが布ベルトの無しを光学的に検知して該布ベルトの交換時期を知らせることを特徴とする遊技玉揚送磨き装置。
【請求項２】
前記センサが前記布ベルトの終端の通過を検知してから該布ベルトの終端がセンサから所定高さ位置まで移動するまでの間は布ベルトの使用を継続することを特徴とする請求項１記載の遊技玉揚送磨き装置。
【請求項３】
前記布ベルトの前記センサからの高さ位置を、布ベルトをガイドするローラの回転数によって演算される布ベルトの送り量によって決定することを特徴とする請求項２記載の遊技玉揚送磨き装置。
【発明の詳細な説明】
【技術分野】
【０００１】
本発明は、布ベルトユニットに保持された布ベルトと本体ユニットに保持された揚送ベルト間に遊技玉を挟持して揚送することによって該遊技玉を磨いてその汚れを拭き取る遊技玉揚送磨き装置に関するものである。
【背景技術】
【０００２】
例えば、パチンコホールの島にはパチンコ玉を磨いて汚れを除去するための揚送磨き装置が設置されているが、この揚送磨き装置は、無端状の揚送ベルトを周回可能に保持する本体ユニットと、該本体ユニットに着脱可能に装着された布ベルトユニットを備え、該布ベルトユニットに保持された布ベルトと前記本体ユニットに保持された揚送ベルトを対面させ、両ベルト間にパチンコ玉を挟持して揚送することによって該パチンコを磨いてその汚れを布ベルトによって拭き取るものである。
【０００３】
ところで、斯かる揚送磨き装置に関して特許文献１には、布ベルトの汚れセンサや巻取回数を管理して布ベルトの交換時期を制御部で監視するようにした玉磨き揚送装置が提案されている。
【特許文献１】特開２００５−１１８６０５号公報
【発明の開示】
【発明が解決しようとする課題】
【０００４】
しかしながら、特許文献１において提案された玉磨き揚送装置では、布ベルトの汚れセンサや巻取回数を管理して布ベルトの交換時期を制御部で監視するための構成が複雑であるという問題がある。
【０００５】
従って、本発明の第１の目的とする処は、簡単な構成で布ベルトの交換時期を知らせることができる遊技玉揚送磨き装置を提供することにある。
【０００６】
又、特許文献１において提案された玉磨き揚送装置では、布ベルトの交換時期を理論的に算出する方法が採用されているため、布ベルトの実際の交換時期に誤差が生じる可能性があるという問題もある。
【０００７】
従って、本発明の第２の目的とする処は、布ベルトの交換時期を正確に知らせることができる遊技玉揚送磨き装置を提供することにある。
【課題を解決するための手段】
【０００８】
上記目的を達成するため、請求項１記載の発明は、本体ユニットに周回可能に保持された揚送ベルトと布ベルトユニットに巻き取り可能に保持された布ベルトを対面させ、両ベルト間に遊技玉を挟持して揚送することによって該遊技玉を磨く遊技玉揚送磨き装置において、終端が第１の巻取軸に形成された取付部に取り付けられて該第１の巻取軸に巻回された布ベルトを送り出して遊技玉の磨きに供する送出部と、遊技玉の磨きに供された布ベルトを第２の巻取軸に巻き取る巻取部を上下に配置するとともに、布ベルトの有無を検知するセンサを前記送出部の近傍に設け、布ベルトの終端が前記第１の巻取軸の取付部から外れて前記センサを通過すると、該センサが布ベルトの無しを光学的に検知して該布ベルトの交換時期を知らせることを特徴とする。
【０００９】
請求項２記載の発明は、請求項１記載の発明において、前記センサが前記布ベルトの終端の通過を検知してから該布ベルトの終端がセンサから所定高さ位置まで移動するまでの間は布ベルトの使用を継続することを特徴とする。
【００１０】
請求項３記載の発明は、請求項２記載の発明において、前記布ベルトの前記センサからの高さ位置を、布ベルトをガイドするローラの回転数によって演算される布ベルトの送り量によって決定することを特徴とする。
【発明の効果】
【００１１】
請求項１記載の発明によれば、布ベルトの有無を検知するセンサを送出部の近傍に設けるだけの簡単な構成によって、布ベルトの無しを光学的に検知して布ベルトの交換時期を知らせることができる。
【００１２】
請求項２記載の発明によれば、センサが布ベルトの終端の通過を検知してから該布ベルトの終端がセンサから所定高さ位置まで移動するまでの間は布ベルトの使用を継続するようにしたため、布ベルトを最後まで無駄なく使い切ることができる。
【００１３】
請求項３記載の発明によれば、実際に検出されたローラの回転数によって布ベルトの送り量を演算し、この送り量に基づいて布ベルトの交換時期を決定するようにしたため、布ベルトの交換時期を正確に知らせることができる。
【発明を実施するための最良の形態】
【００１４】
以下に本発明の実施の形態を添付図面に基づいて説明する。
【００１５】
図１〜図３は本発明に係る遊技玉揚送磨き装置の斜視図、図４は同遊技玉揚送磨き装置の分解斜視図、図５は図４のＸ部拡大詳細図、図６は同遊技玉揚送磨き装置上部のベルトカバーを閉じた状態を示す斜視図、図７は同遊技玉揚送磨き装置上部のベルトカバーを開いた状態を示す斜視図、図８は同遊技玉揚送磨き装置下部の側面図、図９は同斜視図、図１０は同遊技玉揚送磨き装置下部の布ベルトを取り外した状態を示す側面図、図１１は同斜視図、図１２は布ベルトの巻取構造を示す説明図、図１３は巻取軸の正面図である。
【００１６】
本実施の形態に係る遊技玉揚送磨き装置（以下、単に「揚送磨き装置」と称する）１は、パチンコ玉を磨いてその汚れを拭き取る装置であって、無端状の揚送ベルト２を周回可能に保持する本体ユニット３と、該本体ユニット３に着脱可能に装着された布ベルトユニット４を備えている。
【００１７】
上記本体ユニット３においては、図１〜図３に示すように、床面に固定される矩形平板状のベース板５上にチャンネル状のハウジング６が垂直に立設されており、このハウジング６内には、該ハウジング６の上端部と下端部に回転可能に横架された回転軸７，８に固着された不図示の従動ローラと駆動ローラに垂直に巻装された革製の前記揚送ベルト２が収容されている。そして、この揚送ベルト２は、ハウジング６の背面下部にブラケット９によって横置き状態で固設された駆動源であるモータ１０によって回転駆動される。
【００１８】
即ち、図１及び図２に示すように、モータ１０の出力軸１０ａの端部に結着された駆動プーリ１１と前記回転軸８の端部に結着された従動プーリ１２には無端状の駆動ベルト１３が巻装されており、この駆動ベルト１３にはテンションプーリ１４によって所定の張力が付与されている。従って、モータ１０が起動されると、その出力軸１０ａの回転は駆動プーリ１１、駆動ベルト１３及び従動プーリ１２を経て回転軸８に伝達され、該回転軸８に結着された不図示の駆動ローラが回転駆動されるため、該駆動ローラと不図示の従動ローラ間に巻装された揚送ベルト２が周回せしめられる。
【００１９】
又、本体ユニット３の下部には、磨く前の汚れたパチンコ玉を投入する投入口１５が開口しており、ハウジング６の上部には、図５〜図７に詳細に示すように、本体ユニット３の上端開口部を開閉するベルトカバー１６が軸１７を中心として上下に回動可能に軸支されている。このベルトカバー１６には、磨きによって汚れが拭き取られたパチンコ玉を排出するための排出口１８が開口しており、該ベルトカバー１６は、左右に設けられた固定手段としてのフック１９と係止金具２０によって閉じ状態がロックされる。ここで、固定手段を構成する前記フック１９は、ベルトカバー１６の左右に取り付けられ、前記係止金具２０は、ハウジング６の上端左右に設けられており、図６に示すようにベルトカバー１６を閉じて係止金具２０をフック１９に係止することによって該ベルトカバー１６の閉じ状態がロックされる。
【００２０】
他方、前記布ベルトユニット４は、本体ユニット３に着脱可能に装着されるものであって、垂直に立設されたチャンネル状のハウジング２１を備えており、このハウジング２１の表裏には布ベルト２２が巻き取り可能に巻き掛けられて保持されている。そして、ハウジング２１の背面側下部には、図１３に示す巻取軸２３（２３Ａ）に巻回された布ロールから布ベルト２２を送り出してパンチコ玉の磨きに供する送出部Ａと、パチンコ玉の磨きに供された布ベルト２２の表裏を反転させてこれを巻取軸２３（２３Ｂ）に巻き取る巻取部Ｂが上下に配されている。
【００２１】
図８〜図１１に示すように、布ベルトユニット４のハウジング２１の下部背面には左右一対のブラケット２４が結着されており、これらのブラケット２４間の上下には図１３に示す巻取軸２３（２３Ａ，２３Ｂ）が着脱可能に装着されている。即ち、各ブラケット２４の上下には背面側（図８の右側）に向かって開口する軸受部２４ａ，２４ｂがそれぞれ形成されており、送出部Ａに設けられた上側の左右一対の軸受部２４ａには、布ロールの巻切軸２３Ａが着脱可能に装着されている。又、巻取部Ａに設けられた下側の左右一対の軸受部２４ｂには巻切軸２３Ｂが着脱可能に装着されている。
【００２２】
ここで、上下の巻取軸２３（２３Ａ，２３Ｂ）は同じものであって共通化されており、図１３に示すように、その軸方向一端にはギヤ２５が結着され、軸方向中央には、布ベルトの幅よりも若干長さの長いスリット２３ａが貫設されている。そして、各巻取軸２３（２３Ａ，２３Ｂ）のスリット２３ａには布ベルト２２の端部がそれぞれ通され、各巻取軸２３（２３Ａ，２３Ｂ）が回転することによって布ロールから布ベルト２２が送り出されてパチンコ玉の磨きに供され、パチンコ玉の磨きに供された布ベルト２２は定期的に巻取軸２３Ｂに巻き取られる。
【００２３】
ところで、左右一対のブラケット２４の上下に形成された前記軸受部２４ａ，２４ｂの近傍には、各取付軸２３Ａ，２３Ｂの上半部を押さえる凹部２６ａ，２６ｂ（図１０及び図１１参照）が形成された軸受アーム２６Ａ，２６Ｂの各一端が軸２７によって上下に回動可能に軸支されており、同じ側に配された上下の軸受アーム２６Ａ，２６Ｂ同士は連結ロッド２８によって互いに連結されている。そして、各軸受アーム２６Ａ，２６Ｂは、これとブラケット２４間に縮装されたスプリング２９によって軸２７を中心として常時下方（各巻取軸２３Ａ，２３Ｂを押さえる方向）に付勢されている。
【００２４】
而して、図８及び図９に示すように、送出部Ａと巻取部Ｂにそれぞれ装着された巻取軸２３Ａ，２３Ｂを取り外すには、例えば上側の片方の軸受アーム２６Ａの先端部に突設された操作ピン３０を操作して軸受アーム２６Ａをスプリング２９の付勢力に抗して軸２７を中心として上方へ回せば、連結ロッド２８によって軸受アーム２６Ａに連結された下側の連結アーム２６Ｂが連動して軸２７を中心として上方へ回動するため、巻取軸２３Ａ，２３Ｂの固定状態が解除され、これらの巻取軸２３Ａ，２３Ｂをそのまま引き出して図１０及び図１１に示すように簡単に取り外すことができる。
【００２５】
又、取り外された各巻取軸２３Ａ，２３Ｂを送出部Ａと巻取部Ｂにそれぞれ装着するには、これらの巻取軸２３Ａ，２３Ｂをブラケット２４の各軸受部２４ａ，２４ｂにそのままスライドさせて押し込めば良い。すると、各軸受アーム２６Ａ，２６Ｂが各巻取軸２３Ａ，２３Ｂによってスプリング２９の付勢力に抗して軸２７を中心として押し上げられるため、各巻取軸２３Ａ，２３Ｂの押し込みが許容され、各巻取軸２３Ａ，２３Ｂが各軸受アーム２６Ａ，２６Ｂの凹部２６ａ，２６ｂにそれぞれ合致すると該凹部２６ａ，２６ｂが巻取軸２３Ａ，２３Ｂの各上半部に嵌合し、巻取軸２３Ａ，２３Ｂが送出部Ａと巻取部Ｂにそれぞれ装着される。尚、送出部Ａには、布ロールの外周に当接して該布ローラを押さえる押さえ部材３１が設けられている。
【００２６】
又、図９及び図１１に示すように、左右のブラケット２４間には駆動源としてのモータ３２が横置き状態で架設されており、該モータ３２の出力軸３２ａの一方のブラケット２４から側方に突出する端部には小径の駆動ギヤ３３が結着されている。そして、駆動ギヤ３３はブラケット２４に回転軸３４によって回転可能に軸支された大径のギヤ３５に噛合しており、このギヤ３５は図８及び図９に示すように巻取部Ｂに装着された巻取軸２３Ｂの一端に結着された前記ギヤ２５に噛合している。
【００２７】
ところで、布ベルトユニット４の送出部Ａに装着された布ロールから送り出される布ベルト２２は、ハウジング６の背面側を垂直上方へ延び、図１２に示すように、ハウジング６の上端に互いに平行に配されたローラ３６，３７によって折り返されてハウジング６の内部を垂直下方に延び、この部分が本体ユニット３側の揚送ベルト２に対面している。そして、垂直下方へ延びる布ベルト２２は図１２に示すようにローラ３８，３９によって方向を変えられて巻取部Ｂに向かって斜め上方へ延び、巻取軸２３Ｂに巻き付けられている。尚、ローラ３９を支持する軸４０には複数のスリット４１ａが形成された回転板４１が取り付けられ、この回転板４１の近傍には、該回転板４１のスリット４１ａを通過する光を検出することによってローラ３９の回転数を光学的に検出する不図示の回転センサが設けられている。
【００２８】
又、図８及び図９に示すように、布ベルトユニット４の送出部Ａの近傍であって、ブラケット２４の上端には、布ベルト２２の有無を光学的に検知するセンサ４２が設けられている。尚、図８〜図１１において、４３は布ベルト２２をガイドするベルトガイドである。
【００２９】
而して、布ベルトユニット４は本体ユニット３に互いのハウジング６，２１の開口部同士が接合されるように着脱可能に装着されているが、図１〜図４に示すように、本体ユニット３のハウジング６の開口部の左右端縁には上方に開口した複数（図示例では片側５つ）のフック４４が上下方向に適当な間隔で一体に形成され、布ベルトユニット４の左右の前記フック４４に対応する位置には、前記フック４４が係合する複数（図示例では片側５つ）の凸部４５が上下方向に適当な間隔で突設されている。尚、本実施の形態では、図５に詳細に示すように、各凸部４５はハウジング２１の両側部にビスを螺着することによって形成されている。
【００３０】
次に、以上のように構成された揚送磨き装置１によるパチンコ玉の研磨について説明する。
【００３１】
図１〜図３に示すように布ベルトユニット４が本体ユニット３に装着された状態では、該布ベルトユニット４に保持された布ベルト２２と本体ユニット３に保持された揚送ベルト２とは両ハウジング６，２１で囲まれる空間内において互いに対面している。この状態で本体ユニット３のモータ１０が起動されると、前述のように揚送ベルト２が図２の矢印方向に周回せしめられ、その布ベルト２２に対面する部分が上方へと移動するため、本体ユニット３の投入口１５から投入された複数のパチンコ玉は互いに対面する揚送ベルト２と布ベルト２２によって挟持されつつ下から上に向かって揚送され、その過程で布ベルト２２によって磨かれてその汚れが拭き取られる。このようにして汚れが拭き取られた複数のパチンコ玉は上端のベルトカバー１６に開口する排出口１８から排出され、以後、同様の作用が繰り返されてパチンコ玉が次々と磨かれて排出口１８から連続的に排出される。
【００３２】
而して、パンチコ玉を磨いている間は布ベルト２２は停止しているが、パチンコ玉の磨きによって布ベルト２２が或る程度汚れると、該布ベルト２２が更新される。即ち、布ベルトユニット４の図８及び図９に示すモータ３２が起動されると、該モータ３２の出力軸３２ａの回転は駆動ギヤ３３とギヤを３５経て巻取部Ｂに装着された巻取軸２３Ｂへと伝達され、該巻取軸２３Ｂが図１２の矢印方向（反時計方向）に回転するため、該巻取軸２３Ｂに汚れた布ベルト２２が巻き取られるとともに、送出部Ａに装着されている布ロールからは新しい布ベルト２２が送り出される。
【００３３】
ここで、送出部Ａに装着されている布ロールにおいては、図１２に示すように、その内面であるａ面がパチンコ玉の磨きに供されるため、このａ面が磨きによって汚れる。そして、布ベルト２２が巻取部Ｂの巻取軸２３Ｂに巻き取られるとその表裏が反転され、巻取軸２３Ｂには布ベルト２２が汚れたａ面を外側（外面側）、汚れていない新しいｂ面を内側（内面側）にして巻き取られ、このとき、布ベルト２２の有無、つまり、送出部Ａの巻取軸２３Ａに布ベル２２トが残っているか否かがセンサ４２によって検知される。
【００３４】
上述のように布ベルト２２が巻取部Ｂの巻取軸２３Ｂに巻き取られて該巻取部Ａに布ロールが形成され、送出部Ａ側の巻取軸２３Ａに巻回されていた布ベルト２２が無くなり、該布ベルト２２の終端が巻取軸２３Ａのスリット２３ａから抜け、その終端がセンサ４２を通過すると、センサ４２がそのことを検知して布ベルト２２の交換時期を知らせる。
【００３５】
ところで、布ベルト２２が最も汚れる部分は汚れたパチンコ玉が投入される投入口１５に近い側の部分であり、前述のように布ベルト２２の終端がセンサ４２を通過しても、布ベルト２２を更に更新してパチンコ玉の磨きに供することができる。従って、本実施の形態では、センサ４２が布ベルト２２の終端を検知してから該布ベルト２２の終端がセンサ４２から所定の高さ位置まで移動するまでの間は布ベルト２２の使用を継続し、布ベルト２２を最後まで無駄なく使い切るようにしている。
【００３６】
ここで、布ベルト２２の前記センサ４２からの高さ位置は、不図示の前記回転センサによって検出されるローラ３９の回転数によって演算される布ベルト２２の送り量によって決定される。
【００３７】
而して、センサ４２が布ベルト２２の終端を検知してから該布ベルト２２の終端がセンサ４２から所定の高さ位置まで移動すると、布ベルト２２の交換を促すための報知がユーザーに対してなされる。すると、ユーザーは布ベルト２２を交換するが、この布ベルト２２の交換（実際には巻取軸２３Ａ，２３Ｂの交換）は次のようになされる。
【００３８】
即ち、先ず、ベルトカバー１６を固定している係止金具２０とフック１９との係合を解除し、該ベルトカバー１６を図７に示すように軸１７を中心として上方に回動させてこれを開く。そして、ベルトカバー１６を開いた状態で布ベルトユニット４をそのまま持ち上げれば、該布ベルトユニット４に突設された凸部４５と本体ユニット３に形成されたフック４４との係合が外れるため、布ベルトユニット４を持ち上げるだけの簡単な操作で該布ベルトユニット４を本体ユニット３から作業性良く容易に取り外すことができる。
【００３９】
このようにして布ベルトユニット４が本体ユニット３から取り外されると、布ベルト２２が残っていない送出部Ａの巻取軸２３Ａと１回目の研磨に供された布ベルト２２が巻回された巻取部Ｂの巻取軸２３Ｂを前記要領に従って取り外し、両者を交換して送出部Ａと巻取部Ｂに巻取軸２３Ｂ，２３Ａを前記要領によってそれぞれ装着する。従って、１回目の磨きに供された布ベルト２２が巻回された巻取軸２３Ｂが送出部Ａに装着され、布ベルト２２が残っていない巻取軸２３Ａが巻取部Ｂに装着される。
【００４０】
そして、送出部Ａに装着された巻取軸２３Ｂに巻回されて形成される布ロールから布ベルト２２が取り出され、この布ベルト２２は、図１２に示すように各ローラ３６〜３９に巻き掛けられ、その始端部が巻取部Ｂに装着された巻取軸２３Ａのスリット２３ａ（図１３参照）に差し込まれて該巻取軸２３Ａに巻き付けられる。ここで、前述のようにパチンコ玉の磨きに供された布ベルト２２は表裏が反転されて巻取軸２３Ｂに巻き付けられているため、送出部Ａに装着された巻取軸２３Ｂに巻回された布ベルト２２は、その外面であるａ面が１回目の磨きに供されて汚れた面となる。尚、本実施の形態では、巻取軸２３（２３Ａ，２３Ｂ）に布ベルト２２を取り付ける取付部として巻取軸（２３Ａ，２３Ｂ）に形成されたスリット２３ａを使用したが、これに代えて例えばヘアピン形状等の固定具によって布ベルト２２の端部を挟んでこれを巻取軸２３（２３Ａ，２３Ｂ）に取り付ける構成を採用しても良い。
【００４１】
上述のようにして巻取軸２３Ａと２３Ｂの交換がなされると、これらの巻取軸２３Ａ，２３Ｂが装着された布ベルトユニット４が本体ユニット３に装着されるが、この布ベルトユニット４の本体ユニット３への装着は、ベルトカバー１６を開いた状態で、該布ベルトユニット４を本体ユニット３に沿ってそのまま降ろすことによって容易になされる。
【００４２】
即ち、布ベルトユニット４を持ち上げ、該布ベルトユニット４のハウジング２１の開口部を本体ユニット３のハウジング６の開口部に合わせた状態で布ベルトユニット４を降ろせば、該布ベルトユニット４の両側部に突設された複数の凸部４５が本体ユニット３の両側部に形成された複数のフック４４に係合するため、布ベルトユニット４が本体ユニット３に作業性良く簡単に装着され、その後、ベルトカバー１６を図１〜図３に示すように閉じ、ロック手段である左右の係止金具２０をベルトカバー１６の両側部に設けられたフック１９に係止することによってベルトカバー１６の閉じ状態をロックすると、布ベルトユニット４の持ち上がりが確実に防がれる。
【００４３】
而して、上述のように布ベルトユニット４が本体ユニット３に装着されると、該布ベルトユニット４の送出部Ａに装着された布ロールから送り出される布ベルト２２は第２回目の磨きに供されるが、この第２回目の磨きに供される面は第１回目の磨きに供されたａ面とは反対側のｂ面となる。従って、本実施の形態では、布ベルトの両面（ａ面とｂ面）を磨きに使用することができ、１本の布ベルト２２で従来の倍の量のパチンコ玉を磨くことができ、該布ベルト２２の交換時期を倍に延ばすことができる。
【００４４】
そして、布ベルト２２のｂ面の全てが２回目の磨きに供されて巻取軸２３Ａに布ベルト２２が巻き取られてロールが形成され、該布ベルト２２の終端が送出部Ａの巻取軸２３Ｂのスリット２３ａ（図１３参照）を抜けてセンサ４２を通過すると、このことがセンサ４２によって光学的に検知され、前述のようにセンサ４２が布ベルト２２の終端を検知してから該布ベルト２２の終端がセンサ４２から所定の高さ位置まで移動するまでの間は布ベルト２２の使用が継続され、布ベルト２２の終端が所定の高さ位置まで移動すると、ユーザーに布ベルト２２の交換が促され、ユーザーは前記と同様の要領で布ベルトユニット４を本体ユニット３から取り外し、未使用の新しい布ベルト２２が巻取軸２３Ａに巻回されたロールを送出部Ａに装着し、前述の要領で布ベルトユニット４を本体ユニット３に装着してパチンコ玉の磨きを再開することができる。
【００４５】
以上において、本実施の形態では、布ベルト２２の有無を検知するセンサ４２を送出部Ａの近傍に設けるだけの簡単な構成によって、布ベルト２２の無しを光学的に検知して布ベルト２２の交換時期を知らせることができる。特に、本実施の形態では、センサ４２が布ベルト２２の終端の通過を検知してから該布ベルト２２の終端がセンサ４２から所定高さ位置まで移動するまでの間は布ベルト２２の使用を継続するようにしたため、布ベルト２２を最後まで無駄なく使い切ることができる。
【００４６】
又、本実施の形態では、回転センサによって実際に検出されたローラ３９の回転数によって布ベルト２２の送り量を演算し、この送り量に基づいて布ベルト２２の交換時期を決定するようにしたため、布ベルト２２の交換時期を正確に知らせることができる。
【図面の簡単な説明】
【００４７】
【図１】本発明に係る遊技玉揚送磨き装置の斜視図である。
【図２】本発明に係る遊技玉揚送磨き装置の斜視図である。
【図３】本発明に係る遊技玉揚送磨き装置の斜視図である。
【図４】本発明に係る遊技玉揚送磨き装置の分解斜視図である。
【図５】図４のＸ部拡大詳細図である。
【図６】本発明に係る同遊技玉揚送磨き装置上部のベルトカバーを閉じた状態を示す斜視図である。
【図７】本発明に係る遊技玉揚送磨き装置上部のベルトカバーを開いた状態を示す斜視図である。
【図８】本発明に係る遊技玉揚送磨き装置下部の側面図である。
【図９】本発明に係る遊技玉揚送磨き装置下部の斜視図である。
【図１０】本発明に係る遊技玉揚送磨き装置下部の布ベルトを取り外した状態を示す側面図である。
【図１１】本発明に係る遊技玉揚送磨き装置下部の布ベルトを取り外した状態を示す斜視図である。
【図１２】本発明に係る遊技玉揚送磨きの布ベルトの巻取構造を示す説明図である。
【図１３】本発明に係る遊技玉揚送研磨の巻取軸の正面図である。
【符号の説明】
【００４８】
１              遊技玉揚送磨き装置
２              揚送ベルト
３              本体ユニット
４              布ベルトユニット
５              ベース板
６              本体ユニットのハウジング
７，８          回転軸
９              ブラケット
１０            モータ
１０ａ          モータの出力軸
１１            駆動プーリ
１２            従動プーリ
１３            駆動ベルト
１４            テンションプーリ
１５            投入口
１６            ベルトカバー
１７            軸
１８            排出口
１９            フック
２０            係止金具
２１            布ベルトユニットのハウジング
２２            布ベルト
２３Ａ，２３Ｂ  巻取軸
２３ａ          巻取軸のスリット
２４            ブラケット
２４ａ，２４ｂ  ブラケットの軸受部
２５            ギヤ
２６Ａ，２６Ｂ  軸受アーム
２６ａ，２６ｂ  軸受アームの凹部
２７            軸
２８            連結ロッド
２９            スプリング
３０            操作ピン
３１            押さえ部材
３２            モータ
３２ａ          モータの出力軸
３３            駆動ギヤ
３４            回転軸
３５            ギヤ
３６〜３９      ローラ
４０            軸
４１            回転板
４１ａ          回転板のスリット
４２            センサ
４３            ベルトガイド
４４            フック
４５            凸部
Ａ              送出部
Ｂ              巻取部
【図１】
2010035965.tif 000003
【図２】
2010035965.tif 000004
【図３】
2010035965.tif 000005
【図４】
2010035965.tif 000006
【図５】
2010035965.tif 000007
【図６】
2010035965.tif 000008
【図７】
2010035965.tif 000009
【図８】
2010035965.tif 000010
【図９】
2010035965.tif 000011
【図１０】
2010035965.tif 000012
【図１１】
2010035965.tif 000013
【図１２】
2010035965.tif 000014
【図１３】
2010035965.tif 000015